(57)【要約】      （修正有）【課題】被固着体に流体を注入しようとするとき、すでに注入した流体がいっきに吹き出すことを避けることができる注入／排出バルブ装置を提供する。【解決手段】上座３１は、周縁部３０から内側に延伸してベル体３１２となっており、該ベル体は弾性をもっていて上下２つの位置の間で弾性変形することができ、且つ、その中心近くに上下の方向に延伸していると共にそれぞれ上下の方へ開口している管状体３１１が設けている。下座３２は通孔３２１付きで、前記周縁部から内側に延伸して前記上座の下側に位置しており、且つ、その中心近くに上の方に延伸していて、前記上座が前記下の位置にある場合、前記管状体内に嵌入して前記管状体を塞ぐことができる直立柱３２０が設けている。前記直立柱には上下２面を有しその両端がそれぞれ前記上下２面に開口している通孔３２５が形成し、前記直立柱における通孔を開閉できる下への一方向弁３２３が付設されている。【選択図】  図１
2006342958.tif 000002
【特許請求の範囲】
【請求項１】
その周縁部により被固着体に取付けられ、その中心近くに形成された開閉可能な通路により前記被固着体を対象として流体を注入／排出することができる注入／排出バルブ装置であって、
上下２座からなっており、
前記上座は前記周縁部から内側に延伸してベル体となっており、該ベル体は弾性をもっていて上下２つの位置の間で弾性変形することができ、且つ、その中心近くに上下の方向に延伸していると共にそれぞれ上下の方へ開口している管状体が設けてあり、
前記下座は通孔付きのものであって、前記周縁部から内側に延伸して前記上座の下側に位置しており、且つ、その中心近くに上の方に延伸していて、前記上座が前記下の位置にある場合、前記管状体内に嵌入して前記管状体を塞ぐことができる直立柱が設けてあり、
前記直立柱には上下２面を有する上、その両端がそれぞれ前記上下２面に開口している通孔が形成してあり、
前記上下２面の少なくとも一つに、下への一方向弁が前記直立柱における通孔を開閉できるように付設されていることを特徴とする流体の注入／排出バルブ装置。
【請求項２】
前記直立柱における前記下面のほぼ中心部には窪みが形成してあり、前記直立柱における通孔の下開口はこの窪み内の底面になっており、
前記一方向弁は前記窪み内に、前記底面に対し移動できるように設置されており、
前記上座が前記下の位置にあって前記直立柱が前記管状体内に嵌入して前記管状体を塞ぎ、且つ流体が前記直立柱の上から来る場合、前記一方向弁は下へ押し下げられて前記直立柱の下面における窪み内の底面から離れ、前記直立柱における通孔の下開口を開けて流体を通過させ、流体が前記直立柱の下から来る場合、前記一方向弁は押し上げられて前記直立柱の下面における窪み内の底面に近寄り、前記直立柱における通孔の下開口を閉じて流体を遮断することができることを特徴とする請求項１に記載の流体の注入／排出バルブ装置。
【請求項３】
前記直立柱における通孔は複数あってそれぞれ前記窪み内の底面に開口しており、
前記一方向弁は、シート状のものであって、その上面に少なくとも一本の上へ延伸して前記底面上の一つの開口に挿入した上、この開口に該当する通孔内の所定範囲内に摺動可能に装置されている案内棒が突出するように形成してあることを特徴とする請求項２に記載の流体の注入／排出バルブ装置。
【請求項４】
前記管状体における上端開口に絞り弁が付設されていて、前記上座が前記上の位置にあって前記直立体が前記管状体内に嵌入していない場合、前記絞り弁の開度により前記被固着体の内圧を調整することができることを特徴とする請求項１〜３のいずれか一項に記載の流体の注入／排出バルブ装置。
【請求項５】
前記絞り弁は、回転蓋型であって、その回転による締まり具合によって開度が調整できるように構成されていることを特徴とする請求項４に記載の流体の注入／排出バルブ装置。
【請求項６】
前記絞り弁は、天板と該天板の周縁から下へ延伸してなった雌ねじ付きの周壁とからなっており、且つ前記管状体の上端開口に着脱可能に繋がっている短管と上からねじ合ってそれを介して前記管状体における上端開口に付設されており、
前記短管の環状の上面に環状パッキングが付設されており、また、前記天板の前記環状パッキングと対応するところに複数の逃し口が開けてあり、
前記絞り弁と前記短管との間のねじ合い具合の変化及び前記絞り弁を回転することによる前記天板と前記環状パッキングとの間の接触具合の変化により、前記逃し口の開度を調整することができることを特徴とする請求項５に記載の流体の注入／排出バルブ装置。
【発明の詳細な説明】
【技術分野】
【０００１】
本発明は、注入／排出バルブ装置に関し、特に、中空の被着体に取付けられてそれによって空気や水など流体を注入／排出することができる流体の注入／排出バルブ装置に関する。
【背景技術】
【０００２】
従来から、浮き輪、エアソファ、エアマット、水マットなどの中空の被固着体６に取付けられてそれによって空気や水など流体を注入／排出することができる流体の注入／排出バルブ装置として、図５及び図６に示すようなものがすでにある。この従来の流体の注入／排出装置５は、周縁部５０により中空の被固着体６に取付けられ、その中心近くに形成された開閉可能な通路５１０により中空の被固着体６を対象として流体を注入／排出することができるものである。
【０００３】
この従来の流体の注入／排出装置５は、図示のように、主として上座５１と、下座５２と、蓋５３とからなっている。
上座５１は、下記下周縁５０bと結合して前記周縁部５０の一部となっている上周縁５０aから内側に延伸してベル体５１２となっており、該ベル体５１２は弾性をもっていて上下２の位置の間に弾性変形することができ、且つ、ベル体５１２の中心近くに上下の方向に延伸していると共にそれぞれ上下の方へ開口して前記通路５１０を周囲から囲んでいる管状体５１１が設けてある。
【０００４】
下座５２は、通孔５２１付きのものであって、前記上周縁５０aと結合して前記周縁部５０の一部となっている下周縁５０bから内へ延伸して前記上座の下側に位置している下座本体５２０と、該下座本体５２０の中心部から上へ延伸していて前記上座５１が下位置にある場合、前記管状体５１１の通路５１０内に嵌入して該管状体５１１を塞ぐことができる直立柱５２２とからなっている。
【０００５】
蓋５３は、プラグ体であって、前記管状体５１１の通路５１０を上から塞ぐことができるものである。
この従来の流体の注入／排出装置５では、被固着体６内（図６における被固着体６の下の方）の例えば空気量が足らなくて補充する必要がある場合、または空気量が多過ぎて少しだけを漏らす必要がある場合、蓋５３を開け、且つ管状体５１１を直立柱５２２と分離させて上座５１を上位置に置いて注／排気を行わなければならない。このとき、特に空気量が相当あって内圧が既にかなり高い場合、被固着体内の内圧が管状体５１１が直立柱５２２から分離するや否やの瞬間、いっきに吹き出して空気量が極端に不足し、再度の注気をしなければならない、という不都合がよく起こる。
【発明の開示】
【発明が解決しようとする課題】
【０００６】
本発明は、上記の問題点に鑑みてなされたものである。
即ち、本発明の第１の目的は、中空の被固着体に流体を注入しようとする場合、被固着体内の流体がいっきに吹き出すことを完全に避けることができる流体の注入／排出バルブ装置を提供しようとすることにある。
本発明の第２の目的は、被固着体から流体を微量的に排出することができる流体注入／排出バルブ装置を提供しようとすることにある。
【課題を解決するための手段】
【０００７】
上記第１の目的を達成するために、本発明は、まず、その周縁部により被固着体に取付けられ、その中心近くに形成された開閉可能な通路により前記被固着体を対象として流体を注入／排出することができる注入／排出バルブ装置であって、上下２座からなっており、前記上座は前記周縁部から内側に延伸してベル体となっており、該ベル体は弾性をもっていて上下２つの位置の間で弾性変形することができ、且つ、その中心近くに上下の方向に延伸していると共にそれぞれ上下の方へ開口している管状体が設けてあり、前記下座は通孔付きのものであって、前記周縁部から内側に延伸して前記上座の下側に位置しており、且つ、その中心近くに上の方に延伸していて、前記上座が前記下の位置にある場合、前記管状体内に嵌入して前記管状体を塞ぐことができる直立柱が設けてあり、また、前記直立柱には上下２面を有する上、その両端がそれぞれ前記上下２面に開口している通孔が形成してあり、それに、前記上下２面の少なくとも一つに、下への一方向弁が前記直立柱における通孔を開閉できるように付設されていることを特徴とする流体の注入／排出バルブ装置を提供する。
【０００８】
前記構造に基づく流体の注入／排出バルブ装置は、前記直立柱における前記下面のほぼ中心部に窪みが形成してあり、前記直立柱における通孔の下開口がこの窪み内の底面になっており、また、前記一方向弁が前記窪み内に、前記底面に対し移動できるように設置されているものが好ましい。
それにより、前記上座が前記下の位置にあって前記直立柱が前記管状体内に嵌入して前記管状体を塞ぎ、且つ流体が前記直立柱の上から来る場合、前記一方向弁は下へ押し下げられて前記直立柱の下面における窪み内の底面から離れ、前記直立柱における通孔の下開口を開けて流体を通過させることができ、また、流体が前記直立柱の下から来る場合、前記一方向弁は押し上げられて前記直立柱の下面における窪み内の底面に近寄り、前記直立柱における通孔の下開口を閉じて流体を遮断することができる。
【０００９】
前記構造に基づく流体の注入／排出バルブ装置は、更に、前記直立柱における通孔が複数あってそれぞれ前記窪み内の底面に開口しており、前記一方向弁が、シート状のものであって、その上面に少なくとも一本の上へ延伸して前記底面上の一つの開口に挿入した上、この開口に該当する通孔内の所定範囲内に摺動可能に装置されている案内棒が突出するように形成してあるものが好ましい。
【００１０】
それにより、前記上座が前記下の位置にあって前記直立柱が前記管状体内に嵌入して前記管状体を塞ぎ、且つ流体が前記直立柱の上から来る場合、前記一方向弁は下へ押し下げられて前記直立柱の下面における窪み内の底面から離れ、前記直立柱における通孔の下開口を開けて流体を通過させることができ、また、流体が前記直立柱の下から来る場合、前記一方向弁は押し上げられて前記直立柱の下面における窪み内の底面に近寄り、前記直立柱における通孔の下開口を閉じて流体を遮断することができる。
【００１１】
また、上記第２の目的を達成するために、本発明は、前記構造の上、更に、前記管状体における上端開口に絞り弁が付設されていて、前記上座が前記上の位置にあって前記直立体が前記管状体内に嵌入していない場合、前記絞り弁の開度により前記被固着体の内圧を調整することができる流体の注入／排出バルブ装置を提供する。
前記構造に基づく流体の注入／排出バルブ装置は、前記絞り弁が、回転蓋型であって、その回転による締まり具合によって開度が調整できるように構成されているものが好ましい。それにより、前記被固着体の内圧を調整することができることが好ましい。
【００１２】
前記構造に基づく流体の注入／排出バルブ装置は、更に、前記絞り弁が、天板と該天板の周縁から下へ延伸してなった雌ねじ付きの周壁とからなっており、且つ前記管状体の上端開口に着脱可能に繋がっている短管と上からねじ合ってそれを介して前記管状体における上端開口に付設されており、 前記短管の環状の上面に環状パッキングが付設されており、また、前記天板の前記環状パッキングと対応するところに複数の逃し口が開けてあるものが好ましい。
【００１３】
それにより、前記絞り弁と前記短管との間のねじ合い具合の変化及び前記絞り弁を回転することによる前記天板と前記環状パッキングとの間の接触具合の変化により、前記逃し口の開度を調整することができる。
【発明の効果】
【００１４】
即ち、本発明の流体の注入／排出バルブ装置は、従来のような注入／排出装置の構造だけを有するのではなく、その直立柱には、その両端がそれぞれ前記上下２面に開口している通孔が形成してあり、且つ、前記上下２面の少なくとも一つに、下への一方向弁が前記直立柱における通孔を開閉できるように付設されているので、前記上座が前記下の位置にあって前記直立柱が前記管状体内に嵌入して前記管状体を塞ぐ場合、中空の被固着体に流体を注入しようとしても、被固着体内の流体がいっきに吹き出すことを完全に避けることができる。
【００１５】
また、前記管状体における上端開口に絞り弁が付設されているので、前記上座が前記上の位置にあって前記直立体が前記管状体内に嵌入していない場合、前記絞り弁の開度を調整して前記中空の被固着体内の空気を微量的に排出し、内圧を適宜に調整することができる。
【発明を実施するための最良の形態】
【００１６】
この発明の前記その他の目的、特徴及び利点は添付図面に例示する本発明の好ましい実施例に関する以下の詳しい記載から明らかである。
図１及び図２に示すのは、本発明の、浮き輪、エアソファ、エアマット、水マットなど適用する流体の注入／排出バルブ装置の一つの実施形態例である。
この実施形態例の流体の注入／排出バルブ装置３は、従来の流体の注入／排出バルブ装置５と同様に、周縁部３０により中空の被固着体４に取付けられ、その中心近くに形成された開閉可能な通路３１０により中空の被固着体４を対象として流体を注入／排出することができるものであり、即ち、図示のように、主として上座３１と、下座３２と、蓋３３とからなっている。
【００１７】
上座３１は、従来の流体の注入／排出バルブ装置５と同様に、下記下周縁３０bと結合して前記周縁部３０の一部となっている上周縁３０aから内側に延伸してベル体３１２となっており、該ベル体３１２は弾性をもっていて上下２の位置の間に弾性変形することができ、且つ、ベル体３１２の中心近くに上下の方向に延伸していると共にそれぞれ上下の方へ開口して前記通路３１０を周囲から囲んでいる管状体３１１が設けてある。
【００１８】
下座３２は、通孔３２５及び一方向弁３２３がついているものであるが、他の主体構造は、やはり従来の流体の注入／排出バルブ装置５と同様に、前記上周縁３０aと結合して前記周縁部３０の一部となっている下周縁３０bから内へ延伸して前記上座の下側に位置している下座本体３２２と、該下座本体３２２の中心部から上へ延伸していて前記上座３１が下位置にある場合、前記管状体３１１の通路３１０内に嵌入して該管状体３１１を塞ぐことができる直立柱３２０とからなっている。
【００１９】
蓋３３は、短管３４、連結アーム３５、環状パッキング３６、絞り弁３７などをも有するが、全体からみれば、やはり従来の流体の注入／排出バルブ装置５と同様に、プラグ形であって、前記管状体３１１の通路３１０を上から塞ぐことができるものである。
図面を参照すると、下座３２における直立柱３２０には上下２面を有し、直立柱３２０における通孔３２５は複数あってそれらの両端がいずれも前記上下２面に開口している。
【００２０】
それに、直立柱３２０下面に、下への一方向弁３２３が前記複数の通孔３２５を開閉できるように付設されている。
図面をもっと詳しく参照すると、直立柱３２０の下面のほぼ中心部には窪み３２４が形成してあり、前記複数の通孔３２５の下開口はいずれもこの窪み３２４内の底面になっており、また、一方向弁３２３は、可撓性の材料から構成されたシート状のものである上、直径が窪み３２４の内径より少々小さくて、窪み３２４内に前記底面に対し移動できるように設置されている。
【００２１】
また、図示のように、一方向弁３２３は、その上面に一本の上へ延伸して前記底面上の一つの開口に挿入した上、この開口に該当する通孔３２５内の所定範囲内に摺動可能に装置されている案内棒３２７が突出するように形成してある。
それにより、図３のように、上座３１が前記下の位置にあって直立柱３２０が管状体３１１内に嵌入して通路３１０を塞ぎ、且つ流体が直立柱３２０の上から来る場合、一方向弁３２３は下へ押し下げられて直立柱３２０の下面における窪み３２４内の底面から離れる上、流体の圧力によってその周縁近くが下の方へ撓むように変形し、直立柱３２０における複数の通孔３２５の下開口を開けて流体を通過させ、また、流体が直立柱３２０の下から来る場合、一方向弁３２３は押し上げられて直立柱３２０の下面における窪み３２４内の底面に近寄ってからぴったりと吸着され、直立柱３２０における通孔３２５の下開口を完全に閉じて流体を遮断することができる。それに、一方向弁３２３は、流体の方向によって窪み３２４内に上下往復することができるが、案内棒３２７の前記該当する通孔３２５との関係で、直立柱３２０から離脱することができない。
【００２２】
即ち、この形態例の注入／排出バルブ装置は、上座３１が前記下の位置にあって直立柱３２０が管状体３１１内に嵌入して管状体３１１を塞ぐ場合、被固着体内の流体がいっきに吹き出すことがないように中空の被固着体４に流体を注入することができる。
そして、蓋３３に付設されている短管３４と、連結アーム３５と、環状パッキング３６と、絞り弁３７とを図を参照しつつ説明する。
【００２３】
短管３４は、プラグのように管状体３１１の上端開口に着脱可能になっているが、連結アーム３５によって管状体３１１にそこから遠く離されないように繋げられている。
絞り弁３７は、短管３４と上からねじ合ってそれを介して管状体３１１における上端開口に付設されているものである上、その回転による締まり具合によって開度が調整できる回転蓋型となっている。
【００２４】
もっと詳しく説明すると、絞り弁３７自体の構造は、天板３７１と天板３７１の周縁から下へ延伸してなった雌ねじ付きの周壁３７２とからなっている。短管３４の環状の上面に環状パッキング３６が付設されている。また、前記天板３７１の環状パッキング３６と対応するところに複数の逃し口３７３が開けてある。
それにより、図４のように、絞り弁３７と短管３４との間のねじ合い具合の変化及び絞り弁３７を回転することによる天板３７１と環状パッキング３６との間の接触具合の変化により、逃し口３７３の開度を調整することができる。
【００２５】
即ち、この形態例の注入／排出装置は、上座３１が前記上の位置にあって直立体３２０が管状体３１１内に嵌入していない場合、絞り弁の開度を調整して前記中空の被固着体内の空気を微量的に排出し、内圧を適宜に調節することができる。
以上説明した実施形態例は、あくまでも本発明の技術的内容を明らかにする意図のものにおいてなされたものであり、本発明はそうした具体例に限定して狭義に解釈されるものではなく、本発明の精神とクレームに述べられた範囲で、いろいろと変更して実施できるものである。
【産業上の利用可能性】
【００２６】
前記実施形態例から分かるように、本発明の流体の注入／排出バルブ装置では、被固着体に対し空気や水を注入し、またはそれから空気や水を排出しようとする場合、被固着体内の流体がいっきに吹き出すことを避けることができる上、一旦過度に注入した後、それを微量的に排出することもできるので、使用に非常に便利であり、浮き輪や、エアソファ、エアマット、水マットなどによく適用される。
【図面の簡単な説明】
【００２７】
【図１】本発明の実施形態例である流体の注入／排出バルブ装置の分解斜視図である。
【図２】前記実施形態例の断面図である。
【図３】前記実施形態例における上座が下位置にある場合の断面図である。
【図４】前記実施形態例における上座が上位置にある場合の断面図である。
【図５】従来の流体の注入／排出装置を示す分解斜視図である。
【図６】前記従来例における上座が下位置にある場合の断面図である。
【符号の説明】
【００２８】
３…流体の注入／排出バルブ装置        ３２３…一方向弁
３０…周縁部                          ３２４…窪み
３０ａ…上周縁                        ３２５…通孔
３０ｂ…下周縁                        ３２７…案内棒
３１…上座                            ３４…短管
３１０…通路                          ３５…連結アーム
３１１…管状体                        ３６…環状パッキング
３１２…ベル体                        ３７…絞り弁
３２…下座                            ３７１…天板
３２０…直立柱                        ３７２…周壁
３２１…通孔                          ３７３…逃し口
３２２…下座本体                      ４…被固着体
【図１】
2006342958.tif 000003
【図２】
2006342958.tif 000004
【図３】
2006342958.tif 000005
【図４】
2006342958.tif 000006
【図５】
2006342958.tif 000007
【図６】
2006342958.tif 000008